【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）が、共有スペクトルのキャリアにわたってサービング基地局からの基準信号を検出することと、
前記ＵＥが、前記基準信号を測定することと、
前記ＵＥが、前記測定された基準信号に基づいて高速チャネル局情報（ＣＳＩ）フィードバックレポートを生成することと、ここにおいて、前記高速ＣＳＩフィードバックレポートを前記生成することは、
前記高速ＣＳＩフィードバックレポートのために標準的なＣＳＩフィードバックレポートのビット幅を低減することと、
前記高速ＣＳＩフィードバックレポート中に含めるために複数の利用可能なＣＳＩレポーティングタイプからＣＳＩレポーティングタイプのサブセットを選択することと、
前記高速ＣＳＩフィードバックレポート中に含めるために複数の利用可能なＣＳＩ処理からＣＳＩ処理のサブセットを選択することと、
前記高速ＣＳＩフィードバックレポートのために前記基準信号の測定のＣＳＩ測定処理を低減することと、
前記高速ＣＳＩフィードバックレポートのためにＣＳＩレポーティングの送信持続時間を低減することと
のうちの１つまたは複数を含む、
前記ＵＥが、前記サービング基地局に前記高速ＣＳＩフィードバックレポートを送信することと
を備える方法。
【請求項２】
前記検出することは、前記サービング基地局の送信フレームの第１のサブフレーム中で前記基準信号を検出することを含む、請求項１に記載の方法。
【請求項３】
前記基準信号は、前記サービング基地局からのチャネル使用ビーコン信号（ＣＵＢＳ：channel usage beacon signal）を含む、請求項１に記載の方法。
【請求項４】
前記基準信号に少なくとも部分的に基づいて非高速ＣＳＩフィードバックレポートを生成することと、
前記高速ＣＳＩフィードバックレポートから間隔を隔てた後に前記非高速ＣＳＩフィードバックレポートを送信することと
をさらに含む、請求項１に記載の方法。
【請求項５】
前記非高速ＣＳＩフィードバックレポートは、
標準的なＣＳＩフィードバックレポート、または
改良されたＣＳＩフィードバックレポート、ここにおいて、前記改良されたＣＳＩフィードバックレポートは、追加のチャネル情報または干渉情報のうちの１つに基づく、
のうちの１つを含む、請求項４に記載の方法。
【請求項６】
前記高速ＣＳＩフィードバックレポートは、前記基準信号が検出されるダウンリンクサブフレームの後のアップリンクサブフレーム中で送信される、請求項１に記載の方法。
【請求項７】
前記サービング基地局から高速ＣＳＩレポーティングインジケータを受信することをさらに含み、前記高速ＣＳＩレポーティングインジケータは、高速ＣＳＩレポーティングを有効にするか無効にするかを前記ＵＥに示す、請求項１に記載の方法。
【請求項８】
高速ＣＳＩレポーティングを無効にすることを示す前記高速ＣＳＩレポーティングインジケータを受信することに応答して、前記ＵＥは、前記高速ＣＳＩレポーティングインジケータが受信された後に生じる前記測定すること、前記生成すること、および前記送信することのうちの１つまたは複数をそれぞれ無効にする、請求項７に記載の方法。
【請求項９】
前記高速ＣＳＩフィードバックレポートを前記送信することは、
前記ＵＥが、複数のアップリンクキャリアのうちの最も早く利用可能なアップリンクキャリアを決定することと、
前記決定された最も早く利用可能なアップリンクキャリア上で前記高速ＣＳＩフィードバックレポートを送信することと
を含む、請求項１に記載の方法。
【請求項１０】
前記共有スペクトルは、複数のオペレータの間で共有することを可能にするスペクトルまたは認可されていないスペクトルのうちの少なくとも１つである、請求項１に記載の方法。
【請求項１１】
ワイヤレス通信のための装置であって、
ユーザ機器（ＵＥ）が、共有スペクトルのキャリアにわたってサービング基地局からの基準信号を検出するための手段と、
前記ＵＥが、前記基準信号を測定するための手段と、
前記ＵＥが、前記測定された基準信号に基づいて高速チャネル局情報（ＣＳＩ）フィードバックレポートを生成するための手段と、ここにおいて、前記高速ＣＳＩフィードバックレポートを前記生成するための手段は、
前記高速ＣＳＩフィードバックレポートのために標準的なＣＳＩフィードバックレポートのビット幅を低減するための手段と、
前記高速ＣＳＩフィードバックレポート中に含めるために複数の利用可能なＣＳＩレポーティングタイプからＣＳＩレポーティングタイプのサブセットを選択するための手段と、
前記高速ＣＳＩフィードバックレポート中に含めるために複数の利用可能なＣＳＩ処理からＣＳＩ処理のサブセットを選択するための手段と、
前記高速ＣＳＩフィードバックレポートのために前記基準信号の測定のＣＳＩ測定処理を低減するための手段と、
前記高速ＣＳＩフィードバックレポートのためにＣＳＩレポーティングの送信持続時間を低減するための手段と
のうちの１つまたは複数を含む、
前記ＵＥが、前記サービング基地局に前記高速ＣＳＩフィードバックレポートを送信するための手段と
を備える装置。
【請求項１２】
前記検出するための手段は、前記サービング基地局の送信フレームの第１のサブフレーム中で前記基準信号を検出するための手段を含む、請求項１１に記載の装置。
【請求項１３】
前記基準信号に少なくとも部分的に基づいて非高速ＣＳＩフィードバックレポートを生成するための手段と、
前記高速ＣＳＩフィードバックレポートから間隔を隔てた後に前記非高速ＣＳＩフィードバックレポートを送信するための手段と
をさらに含む、請求項１１に記載の装置。
【請求項１４】
前記非高速ＣＳＩフィードバックレポートは、
標準的なＣＳＩフィードバックレポート、または
改良されたＣＳＩフィードバックレポート、ここにおいて、前記改良されたＣＳＩフィードバックレポートは、追加のチャネル情報または干渉情報のうちの１つに基づく、
のうちの１つを含む、請求項１３に記載の装置。
【請求項１５】
前記高速ＣＳＩフィードバックレポートは、前記基準信号が検出されるダウンリンクサブフレームの後のアップリンクサブフレーム中で送信される、請求項１１に記載の装置。
【請求項１６】
前記高速ＣＳＩフィードバックレポートを前記送信するための手段は、
前記ＵＥが、複数のアップリンクキャリアのうちの最も早く利用可能なアップリンクキャリアを決定するための手段と、
前記決定された最も早く利用可能なアップリンクキャリア上で前記高速ＣＳＩフィードバックレポートを送信するための手段と
を含む、請求項１１に記載の装置。
【請求項１７】
前記共有スペクトルは、複数のオペレータの間で共有することを可能にするスペクトルまたは認可されていないスペクトルのうちの少なくとも１つである、請求項１１に記載の装置。
【請求項１８】
記録されたプログラムコードを有する非一時的コンピュータ可読媒体であって、前記プログラムコードは、
コンピュータに、ユーザ機器（ＵＥ）によって、共有スペクトルのキャリアにわたってサービング基地局からの基準信号を検出させるためのプログラムコードと、
前記コンピュータに、前記ＵＥによって、前記基準信号を測定させるためのプログラムコードと、
前記コンピュータに、前記ＵＥによって、前記測定された基準信号に基づいて高速チャネル局情報（ＣＳＩ）フィードバックレポートを生成させるためのプログラムコードと、ここにおいて、前記コンピュータに、前記高速ＣＳＩフィードバックレポートを生成させるための前記プログラムコードは、
前記コンピュータに、前記高速ＣＳＩフィードバックレポートのために標準的なＣＳＩフィードバックレポートのビット幅を低減させるためのプログラムコードと、
前記コンピュータに、前記高速ＣＳＩフィードバックレポート中に含めるために複数の利用可能なＣＳＩレポーティングタイプからＣＳＩレポーティングタイプのサブセットを選択させるためのプログラムコードと、
前記コンピュータに、前記高速ＣＳＩフィードバックレポート中に含めるために複数の利用可能なＣＳＩ処理からＣＳＩ処理のサブセットを選択させるためのプログラムコードと、
前記コンピュータに、前記高速ＣＳＩフィードバックレポートのために前記基準信号の測定のＣＳＩ測定処理を低減させるためのプログラムコードと、
前記コンピュータに、前記高速ＣＳＩフィードバックレポートのためにＣＳＩレポーティングの送信持続時間を低減させるためのプログラムコードと
のうちの１つまたは複数を含む、
前記コンピュータに、前記ＵＥによって、前記サービング基地局に前記高速ＣＳＩフィードバックレポートを送信させるためのプログラムコードと
を含む、非一時的コンピュータ可読媒体。
【請求項１９】
前記コンピュータに検出させるための前記プログラムコードは、前記コンピュータに、前記サービング基地局の送信フレームの第１のサブフレーム中で前記基準信号を検出させるためのプログラムコードを含む、請求項１８に記載の非一時的コンピュータ可読媒体。
【請求項２０】
前記高速ＣＳＩフィードバックレポートは、前記基準信号が検出されるダウンリンクサブフレームの後のアップリンクサブフレーム中で送信される、請求項１８に記載の非一時的コンピュータ可読媒体。
【請求項２１】
前記共有スペクトルは、複数のオペレータの間で共有することを可能にするスペクトルまたは認可されていないスペクトルのうちの少なくとも１つである、請求項１８に記載の非一時的コンピュータ可読媒体。
【請求項２２】
ワイヤレス通信のために構成された装置であって、前記装置は、
少なくとも１つのプロセッサと、
前記少なくとも１つのプロセッサに結合されたメモリと、
を備え、
前記少なくとも１つのプロセッサは、
ユーザ機器（ＵＥ）が、共有スペクトルのキャリアにわたってサービング基地局からの基準信号を検出することと、
前記ＵＥが、前記基準信号を測定することと、
前記ＵＥが、前記測定された基準信号に基づいて高速チャネル局情報（ＣＳＩ）フィードバックレポートを生成することと、ここにおいて、前記高速ＣＳＩフィードバックレポートを生成するための前記少なくとも１つのプロセッサの前記構成は、
前記高速ＣＳＩフィードバックレポートのために標準的なＣＳＩフィードバックレポートのビット幅を低減することと、
前記高速ＣＳＩフィードバックレポート中に含めるために複数の利用可能なＣＳＩレポーティングタイプからＣＳＩレポーティングタイプのサブセットを選択することと、
前記高速ＣＳＩフィードバックレポート中に含めるために複数の利用可能なＣＳＩ処理からＣＳＩ処理のサブセットを選択することと、
前記高速ＣＳＩフィードバックレポートのために前記基準信号の測定のＣＳＩ測定処理を低減することと、
前記高速ＣＳＩフィードバックレポートのためにＣＳＩレポーティングの送信持続時間を低減することと
のうちの１つまたは複数を行うための前記少なくとも１つのプロセッサの構成を含む、
前記ＵＥが、前記サービング基地局に前記高速ＣＳＩフィードバックレポートを送信することと
を行うように構成される、装置。
【請求項２３】
検出するための前記少なくとも１つのプロセッサの前記構成は、前記サービング基地局の送信フレームの第１のサブフレーム中で前記基準信号を検出するための構成を含む、請求項２２に記載の装置。
【請求項２４】
前記高速ＣＳＩフィードバックレポートは、前記基準信号が検出されるダウンリンクサブフレームの後のアップリンクサブフレーム中で送信される、請求項２２に記載の装置。
【請求項２５】
高速ＣＳＩレポーティングを無効にすることを示す前記高速ＣＳＩレポーティングインジケータを受信することに応答して、前記ＵＥは、前記高速ＣＳＩレポーティングインジケータが受信された後に生じる測定すること、生成すること、および送信することを行うための前記少なくとも１つのプロセッサの前記構成のうちの１つまたは複数をそれぞれ無効にする、請求項２４に記載の装置。
【請求項２６】
前記共有スペクトルは、複数のオペレータの間で共有することを可能にするスペクトルまたは認可されていないスペクトルのうちの少なくとも１つである、請求項２２に記載の装置。
【手続補正２】
【補正対象書類名】明細書
【補正対象項目名】００８７
【補正方法】変更
【補正の内容】
【００８７】
[0099]本開示の先の説明は、当業者が本開示を製造または使用することを可能にするために提供される。本開示に対する様々な修正は、当業者にとって容易に明らかとなり、本明細書で定義された包括的な原理は、本開示の精神または範囲から逸脱することなしに他の変形例に適用されうる。したがって、本開示は、本明細書において説明された例および設計に限定されるよう意図されず、本明細書で開示された原理および新規の特徴と一致する最も幅広い範囲が付与されるべきである。
以下に本願の出願当初の特許請求の範囲に記載された発明を付記する。
［Ｃ１］
ワイヤレス通信の方法であって、
ユーザ機器（ＵＥ）が、共有スペクトルのキャリアにわたってサービング基地局からの基準信号を検出することと、
前記ＵＥが、前記基準信号を測定することと、
前記ＵＥが、前記測定された基準信号に基づいて高速チャネル局情報（ＣＳＩ）フィードバックレポートを生成することと、
前記ＵＥが、前記サービング基地局に前記高速ＣＳＩフィードバックレポートを送信することと
を備える方法。
［Ｃ２］
前記検出することは、前記サービング基地局の送信フレームの第１のサブフレーム中で前記基準信号を検出することを含む、Ｃ１に記載の方法。
［Ｃ３］
前記基準信号は、前記サービング基地局からのチャネル使用ビーコン信号（ＣＵＢＳ：channel usage beacon signal）を含む、Ｃ１に記載の方法。
［Ｃ４］
前記高速ＣＳＩフィードバックレポートを前記生成することは、
前記高速ＣＳＩフィードバックレポートのために標準的なＣＳＩフィードバックレポートのビット幅を低減することと、
前記高速ＣＳＩフィードバックレポート中に含めるために複数の利用可能なＣＳＩレポーティングタイプからＣＳＩレポーティングタイプのサブセットを選択することと、
前記高速ＣＳＩフィードバックレポート中に含めるために複数の利用可能なＣＳＩ処理からＣＳＩ処理のサブセットを選択することと、
前記高速ＣＳＩフィードバックレポートのために前記基準信号の測定のＣＳＩ測定処理を低減することと、
前記高速ＣＳＩフィードバックレポートのためにＣＳＩレポーティングの送信持続時間を低減することと
のうちの１つまたは複数を含む、Ｃ１に記載の方法。
［Ｃ５］
前記基準信号に少なくとも部分的に基づいて非高速ＣＳＩフィードバックレポートを生成することと、
前記高速ＣＳＩフィードバックレポートから間隔を隔てた後に前記非高速ＣＳＩフィードバックレポートを送信することと
をさらに備える、Ｃ１に記載の方法。
［Ｃ６］
前記非高速ＣＳＩフィードバックレポートは、
標準的なＣＳＩフィードバックレポート、または
改良されたＣＳＩフィードバックレポート、ここにおいて、前記改良されたＣＳＩフィードバックレポートは、追加のチャネル情報または干渉情報のうちの１つに基づく、
のうちの１つを含む、Ｃ５に記載の方法。
［Ｃ７］
前記高速ＣＳＩフィードバックレポートは、前記基準信号が検出されるダウンリンクサブフレームの後のアップリンクサブフレーム中で送信される、Ｃ１に記載の方法。
［Ｃ８］
前記サービング基地局から高速ＣＳＩレポーティングインジケータを受信することをさらに備え、前記高速ＣＳＩレポーティングインジケータは、高速ＣＳＩレポーティングを有効にするか無効にするかを前記ＵＥに示す、Ｃ１に記載の方法。
［Ｃ９］
高速ＣＳＩレポーティングを無効にすることを示す前記高速ＣＳＩレポーティングインジケータを受信することに応答して、前記ＵＥは、前記高速ＣＳＩレポーティングインジケータが受信された後に生じる前記測定すること、前記生成すること、および前記送信することのうちの１つまたは複数をそれぞれ無効にする、Ｃ８に記載の方法。
［Ｃ１０］
前記高速ＣＳＩフィードバックレポートを前記送信することは、
前記ＵＥが、複数のアップリンクキャリアのうちの最も早く利用可能なアップリンクキャリアを決定することと、
前記決定された最も早く利用可能なアップリンクキャリア上で前記高速ＣＳＩフィードバックレポートを送信することと
を含む、Ｃ１に記載の方法。
［Ｃ１１］
前記共有スペクトルは、複数のオペレータの間で共有することを可能にするスペクトルまたは認可されていないスペクトルのうちの少なくとも１つである、Ｃ１に記載の方法。
［Ｃ１２］
ワイヤレス通信のための装置であって、
ユーザ機器（ＵＥ）が、共有スペクトルのキャリアにわたってサービング基地局からの基準信号を検出するための手段と、
前記ＵＥが、前記基準信号を測定するための手段と、
前記ＵＥが、前記測定された基準信号に基づいて高速チャネル局情報（ＣＳＩ）フィードバックレポートを生成するための手段と、
前記ＵＥが、前記サービング基地局に前記高速ＣＳＩフィードバックレポートを送信するための手段と
を備える装置。
［Ｃ１３］
前記検出するための手段は、前記サービング基地局の送信フレームの第１のサブフレーム中で前記基準信号を検出するための手段を含む、Ｃ１２に記載の装置。
［Ｃ１４］
前記高速ＣＳＩフィードバックレポートを前記生成するための手段は、
前記高速ＣＳＩフィードバックレポートのために標準的なＣＳＩフィードバックレポートのビット幅を低減するための手段と、
前記高速ＣＳＩフィードバックレポート中に含めるために複数の利用可能なＣＳＩレポーティングタイプからＣＳＩレポーティングタイプのサブセットを選択するための手段と、
前記高速ＣＳＩフィードバックレポート中に含めるために複数の利用可能なＣＳＩ処理からＣＳＩ処理のサブセットを選択するための手段と、
前記高速ＣＳＩフィードバックレポートのために前記基準信号の測定のＣＳＩ測定処理を低減するための手段と、
前記高速ＣＳＩフィードバックレポートのためにＣＳＩレポーティングの送信持続時間を低減するための手段と
のうちの１つまたは複数を含む、Ｃ１２に記載の装置。
［Ｃ１５］
前記基準信号に少なくとも部分的に基づいて非高速ＣＳＩフィードバックレポートを生成するための手段と、
前記高速ＣＳＩフィードバックレポートから間隔を隔てた後に前記非高速ＣＳＩフィードバックレポートを送信するための手段と
をさらに含む、Ｃ１２に記載の装置。
［Ｃ１６］
前記非高速ＣＳＩフィードバックレポートは、
標準的なＣＳＩフィードバックレポート、または
改良されたＣＳＩフィードバックレポート、ここにおいて、前記改良されたＣＳＩフィードバックレポートは、追加のチャネル情報または干渉情報のうちの１つに基づく、
のうちの１つを含む、Ｃ１５に記載の装置。
［Ｃ１７］
前記高速ＣＳＩフィードバックレポートは、前記基準信号が検出されるダウンリンクサブフレームの後のアップリンクサブフレーム中で送信される、Ｃ１２に記載の装置。
［Ｃ１８］
前記高速ＣＳＩフィードバックレポートを前記送信するための手段は、
前記ＵＥが、複数のアップリンクキャリアのうちの最も早く利用可能なアップリンクキャリアを決定するための手段と、
前記決定された最も早く利用可能なアップリンクキャリア上で前記高速ＣＳＩフィードバックレポートを送信するための手段と
を含む、Ｃ１２に記載の装置。
［Ｃ１９］
前記共有スペクトルは、複数のオペレータの間で共有することを可能にするスペクトルまたは認可されていないスペクトルのうちの少なくとも１つである、Ｃ１２に記載の装置。
［Ｃ２０］
記録されたプログラムコードを有する非一時的コンピュータ可読媒体であって、前記プログラムコードは、
コンピュータに、ユーザ機器（ＵＥ）によって、共有スペクトルのキャリアにわたってサービング基地局からの基準信号を検出させるためのプログラムコードと、
前記コンピュータに、前記ＵＥによって、前記基準信号を測定させるためのプログラムコードと、
前記コンピュータに、前記ＵＥによって、前記測定された基準信号に基づいて高速チャネル局情報（ＣＳＩ）フィードバックレポートを生成させるためのプログラムコードと、
前記コンピュータに、前記ＵＥによって、前記サービング基地局に前記高速ＣＳＩフィードバックレポートを送信させるためのプログラムコードと
を含む、非一時的コンピュータ可読媒体。
［Ｃ２１］
前記コンピュータに検出させるための前記プログラムコードは、前記コンピュータに、前記サービング基地局の送信フレームの第１のサブフレーム中で前記基準信号を検出させるためのプログラムコードを含む、Ｃ２０に記載のコンピュータプログラム製品。
［Ｃ２２］
前記コンピュータに、前記高速ＣＳＩフィードバックレポートを生成させるための前記プログラムコードは、
前記コンピュータに、前記高速ＣＳＩフィードバックレポートのために標準的なＣＳＩフィードバックレポートのビット幅を低減させるためのプログラムコードと、
前記コンピュータに、前記高速ＣＳＩフィードバックレポート中に含めるために複数の利用可能なＣＳＩレポーティングタイプからＣＳＩレポーティングタイプのサブセットを選択させるためのプログラムコードと、
前記コンピュータに、前記高速ＣＳＩフィードバックレポート中に含めるために複数の利用可能なＣＳＩ処理からＣＳＩ処理のサブセットを選択させるためのプログラムコードと、
前記コンピュータに、前記高速ＣＳＩフィードバックレポートのために前記基準信号の測定のＣＳＩ測定処理を低減させるためのプログラムコードと、
前記コンピュータに、前記高速ＣＳＩフィードバックレポートのためにＣＳＩレポーティングの送信持続時間を低減させるためのプログラムコードと
のうちの１つまたは複数を含む、Ｃ２０に記載のコンピュータプログラム製品。
［Ｃ２３］
前記高速ＣＳＩフィードバックレポートは、前記基準信号が検出されるダウンリンクサブフレームの後のアップリンクサブフレーム中で送信される、Ｃ２０に記載のコンピュータプログラム製品。
［Ｃ２４］
前記共有スペクトルは、複数のオペレータの間で共有することを可能にするスペクトルまたは認可されていないスペクトルのうちの少なくとも１つである、Ｃ２０に記載のコンピュータプログラム製品。
［Ｃ２５］
ワイヤレス通信のために構成された装置であって、前記装置は、
少なくとも１つのプロセッサと、
前記少なくとも１つのプロセッサに結合されたメモリと、
を備え、
前記少なくとも１つのプロセッサは、
ユーザ機器（ＵＥ）が、共有スペクトルのキャリアにわたってサービング基地局からの基準信号を検出することと、
前記ＵＥが、前記基準信号を測定することと、
前記ＵＥが、前記測定された基準信号に基づいて高速チャネル局情報（ＣＳＩ）フィードバックレポートを生成することと、
前記ＵＥが、前記サービング基地局に前記高速ＣＳＩフィードバックレポートを送信することと
を行うように構成される、装置。
［Ｃ２６］
検出するための前記少なくとも１つのプロセッサの前記構成は、前記サービング基地局の送信フレームの第１のサブフレーム中で前記基準信号を検出するための構成を含む、Ｃ２５に記載の装置。
［Ｃ２７］
前記高速ＣＳＩフィードバックレポートを生成するための前記少なくとも１つのプロセッサの前記構成は、
前記高速ＣＳＩフィードバックレポートのために標準的なＣＳＩフィードバックレポートのビット幅を低減することと、
前記高速ＣＳＩフィードバックレポート中に含めるために複数の利用可能なＣＳＩレポーティングタイプからＣＳＩレポーティングタイプのサブセットを選択することと、
前記高速ＣＳＩフィードバックレポート中に含めるために複数の利用可能なＣＳＩ処理からＣＳＩ処理のサブセットを選択することと、
前記高速ＣＳＩフィードバックレポートのために前記基準信号の測定のＣＳＩ測定処理を低減することと、
前記高速ＣＳＩフィードバックレポートのためにＣＳＩレポーティングの送信持続時間を低減することと
のうちの１つまたは複数を行うための前記少なくとも１つのプロセッサの構成を含む、Ｃ２５に記載の装置。
［Ｃ２８］
前記高速ＣＳＩフィードバックレポートは、前記基準信号が検出されるダウンリンクサブフレームの後のアップリンクサブフレーム中で送信される、Ｃ２５に記載の装置。
［Ｃ２９］
高速ＣＳＩレポーティングを無効にすることを示す前記高速ＣＳＩレポーティングインジケータを受信することに応答して、前記ＵＥは、前記高速ＣＳＩレポーティングインジケータが受信された後に生じる測定すること、生成すること、および送信することを行うための前記少なくとも１つのプロセッサの前記構成のうちの１つまたは複数をそれぞれ無効にする、Ｃ２８に記載の装置。
［Ｃ３０］
前記共有スペクトルは、複数のオペレータの間で共有することを可能にするスペクトルまたは認可されていないスペクトルのうちの少なくとも１つである、Ｃ２５に記載の装置。